(57)【要約】【課題】接触不良または環境の影響によるトリガのエラーを防ぐ音声トリガ制御装置およびその方法を提供する。【解決手段】音声トリガ制御装置１０は、機能動作に対応した高音域トリガ信号を出力する処理ユニット２０３と、処理ユニット２０３と電気的に接続され、高音域トリガ信号に基づいて高域音声を出力し、データ収集ホスト２１に機能動作を実行させるスピーカ２０４と、処理ユニット２０３と電気的に接続され、高音域トリガ信号の出力を制御する制御モジュール２０２と、処理ユニット２０３およびスピーカ２０４と電気的に接続され、必要な電源を供給する電源供給モジュール２０１と、処理ユニット２０３、スピーカ２０４、制御モジュール２０２および電源供給モジュール２０１を収納し、データ収集ホスト２１の結合部２１４と結合するハウジング２０とを備える。【選択図】図２
2011041240.tif 000002
【特許請求の範囲】
【請求項１】
データ収集ホストに結合し、対応した機能を実行させる音声トリガ制御装置であって、
機能動作に対応した高音域トリガ信号を出力する処理ユニットと、
前記処理ユニットと電気的に接続され、前記高音域トリガ信号に基づいて高域音声を出力し、前記データ収集ホストに機能動作を実行させるスピーカと、
前記処理ユニットと電気的に接続され、前記高音域トリガ信号の出力を制御する制御モジュールと、
前記処理ユニットおよび前記スピーカと電気的に接続され、必要な電源を供給する電源供給モジュールと、
前記処理ユニット、前記スピーカ、前記制御モジュールおよび前記電源供給モジュールを収納し、前記データ収集ホストの結合部と結合するハウジングと、を備えることを特徴とする音声トリガ制御装置。
【請求項２】
前記高音域トリガ信号の周波数は、１５０００Ｈｚ〜２００００Ｈｚであることを特徴とする請求項１に記載の音声トリガ制御装置。
【請求項３】
前記ハウジングは握持構造を有することを特徴とする請求項１に記載の音声トリガ制御装置。
【請求項４】
前記制御モジュールは、起動信号を出力し、前記高音域トリガ信号の出力を制御するキースイッチを有することを特徴とする請求項１に記載の音声トリガ制御装置。
【請求項５】
前記機能動作は、走査動作または画像キャプチャ動作であることを特徴とする請求項１に記載の音声トリガ制御装置。
【請求項６】
音声トリガ制御装置に結合したデータ収集ホストが実行する対応した機能動作は、
（ａ）前記音声トリガ制御装置の制御モジュールにより処理ユニットを制御し、前記機能動作に対応した高音域トリガ信号を前記処理ユニットから出力するステップと、
（ｂ）前記高音域トリガ信号に基づき、前記音声トリガ制御装置のスピーカから高域音声を出力するステップと、
（ｃ）前記データ収集ホストが、前記高域音声を受信して復号化し、前記機能動作を実行するステップと、を含むことを特徴とする音声トリガ制御方法。
【請求項７】
前記ステップ（ａ）において、前記処理ユニットから出力する前記高音域トリガ信号は、１５０００Ｈｚ〜２００００Ｈｚであることを特徴とする請求項６に記載の音声トリガ制御方法。
【請求項８】
前記ステップ（ａ）において、前記処理ユニットは、前記機能動作に基づいてコマンドを符号化し、前記高音域トリガ信号を生成させることを特徴とする請求項６に記載の音声トリガ制御方法。
【請求項９】
前記ステップ（ｃ）において、前記データ収集ホストは、前記高域音声を受信してコマンドを復号化し、機能動作を実行することを特徴とする請求項６に記載の音声トリガ制御方法。
【請求項１０】
前記機能動作は、走査動作または画像キャプチャ動作であることを特徴とする請求項６に記載の音声トリガ制御方法。
【発明の詳細な説明】
【技術分野】
【０００１】
本発明は、トリガ制御技術に関し、特に、高域音声トリガ信号を利用する音声トリガ制御装置およびその方法に関する。
【背景技術】
【０００２】
データ収集ホストは、様々なデータへのアクセスに用い、トリガ制御装置と組み合わせて用いることが多い。よく見かけるデータ収集ホストとしては、バーコード・リーダーまたは携帯端末機がある。バーコード・リーダーは、バーコード（ｂａｒｃｏｄｅ）の読み取りに用いる。例えば、バーコード・リーダーは、数字１２３４を表すバーコードを読み取り、１２３４を表すデジタルデータを受信する。また、携帯端末機は、バーコード・リーダーに類似した機能を有し、一般にオペレーティングソフトおよび記憶媒体が内蔵されている。そして、データ収集を行う際、記憶媒体の中にデータを記憶させ、計算および管理を行うとともに、コンピュータでデータを比較したり、システムからデータを出力したりすることができるため、在庫の棚卸、出荷の確認などの作業を行うのに非常に適している。
【０００３】
従来のデータ収集ホストに装着される手持ち式トリガ制御装置は、データ収集ホストをトリガし、データ収集を行うために、データ収集ホストのインタフェースに直接接続する必要があった。一般に、トリガ制御装置およびデータ収集ホストの本体には、連動手段（通信用配線など）を有する開口が設けられている。トリガ制御装置は、この連動手段によりデータ収集ホストと通信し、様々なデータ収集を行う。しかし、上述した従来の方式では、長期間使用した場合に連動手段が損壊してトリガが失敗する虞があった。
【０００４】
そのため、従来技術では、赤外線通信方式または磁気感応方式を利用し、データ収集ホストのトリガにより所望の機能を実行し、上述の問題を解決していた。
【０００５】
しかし、トリガ制御装置上に設けられたデータ収集ホストは、様々な状況や機能の必要に応じ、着脱および交換が頻繁に行われることがあった。赤外線通信方式でこのような着脱が頻繁に行われると、磨耗により赤外線を受信する透明窓の透過率が低下し、トリガのエラーまたは不良が発生する虞があった。
【０００６】
さらに、従来技術の磁気感応方式でトリガを行う場合、赤外線通信方式および通信配線により発生する接触不良の問題を解決することができるが、磁気感応方式を利用する場合、使用環境の影響を受け、データ収集ホストの感応に失敗したりデータ収集ホストにエラーが発生したりする虞があった。
【０００７】
そのため、トリガ制御装置とデータ収集ホストとの間でトリガが失敗することを防ぐ音声トリガ制御装置およびその方法が求められていた。
【発明の概要】
【発明が解決しようとする課題】
【０００８】
本発明の目的は、接触不良または環境の影響によるトリガのエラーを防ぐ音声トリガ制御装置およびその方法を提供することにある。
【０００９】
本発明のもう一つの目的は、防水および防塵効果が高い音声トリガ制御装置を提供することにある。
【課題を解決するための手段】
【００１０】
上記課題を解決するために、本発明の第１の形態によれば、データ収集ホストに結合し、対応した機能を実行させる音声トリガ制御装置であって、機能動作に対応した高音域トリガ信号を出力する処理ユニットと、前記処理ユニットと電気的に接続され、前記高音域トリガ信号に基づいて高域音声を出力し、前記データ収集ホストに機能動作を実行させるスピーカと、前記処理ユニットと電気的に接続され、前記高音域トリガ信号の出力を制御する制御モジュールと、前記処理ユニットおよび前記スピーカと電気的に接続され、必要な電源を供給する電源供給モジュールと、前記処理ユニット、前記スピーカ、前記制御モジュールおよび前記電源供給モジュールを収納し、前記データ収集ホストの結合部と結合するハウジングと、を備えることを特徴とする音声トリガ制御装置が提供される。
【００１１】
また、前記高音域トリガ信号の周波数は、１５０００Ｈｚ〜２００００Ｈｚであることが好ましい。
【００１２】
また、前記ハウジングは握持構造を有することが好ましい。
【００１３】
また、前記制御モジュールは、起動信号を出力し、前記高音域トリガ信号の出力を制御するキースイッチを有することが好ましい。
【００１４】
また、前記機能動作は、走査動作または画像キャプチャ動作であることが好ましい。
【００１５】
本発明の第２の形態によれば、音声トリガ制御装置に結合したデータ収集ホストが実行する対応した機能動作は、（ａ）前記音声トリガ制御装置の制御モジュールにより処理ユニットを制御し、前記機能動作に対応した高音域トリガ信号を前記処理ユニットから出力するステップと、（ｂ）前記高音域トリガ信号に基づき、前記音声トリガ制御装置のスピーカから高域音声を出力するステップと、（ｃ）前記データ収集ホストが、前記高域音声を受信して復号化し、前記機能動作を実行するステップと、を含むことを特徴とする音声トリガ制御方法が提供される。
【００１６】
また、前記ステップ（ａ）において、前記処理ユニットから出力する前記高音域トリガ信号は、１５０００Ｈｚ〜２００００Ｈｚであることが好ましい。
【００１７】
また、前記ステップ（ａ）において、前記処理ユニットは、前記機能動作に基づいてコマンドを符号化し、前記高音域トリガ信号を生成させることが好ましい。
【００１８】
また、前記ステップ（ｃ）において、前記データ収集ホストは、前記高域音声を受信してコマンドを復号化し、機能動作を実行することが好ましい。
【００１９】
また、前記機能動作は、走査動作または画像キャプチャ動作であることが好ましい。
【発明の効果】
【００２０】
本発明の音声トリガ制御装置およびその方法は、音声トリガ制御装置およびデータ収集ホストに通信配線用の開口が設けられていないため、防水および防塵効果が高い上、高音域トリガを用いた無線トリガ方式を利用することにより、データ収集ホストの作動を安定させ、高音域の信号を利用するため、使用環境の悪影響により接触エラーが発生する虞もない。
【図面の簡単な説明】
【００２１】
【図１】本発明の一実施形態によるデータ収集ホストを示す機能ブロック図である。
【図２】本発明の一実施形態によるデータ収集ホストに音声トリガ制御装置を接続するときの状態を示す模式図である。
【図３】本発明の一実施形態による音声トリガ制御装置が高域音声を利用し、制御を行うときの状態を示す模式図である。
【図４】本発明の一実施形態による音声トリガ制御方法を示す流れ図である。
【発明を実施するための形態】
【００２２】
以下、本発明の実施形態について図に基づいて説明する。なお、これによって本発明が限定されるものではない。
【００２３】
図１は、本発明の一実施形態によるデータ収集ホストを示す機能ブロック図である。図１に示すように、本実施形態の音声トリガ制御装置１０は、データ収集ホスト１１に結合し、対応した機能を行う。音声トリガ制御装置１０は、必要な電力を供給する電源供給モジュール１０１を含む。
【００２４】
図１に示すように、本実施形態による音声トリガ制御装置１０は、処理ユニット１０３、スピーカ１０４、制御モジュール１０２、電源供給モジュール１０１およびハウジング２０を含む。処理ユニット１０３は、機能動作に対してコマンド符号化を行い、高域音声トリガ信号を出力する。スピーカ１０４は、この高域音声トリガ信号に基づき、高域音声を出力する。その後、データ収集ホスト１１は、内蔵された集音装置１１２によりコマンドを受信し、そのコマンドを機能動作へ復号化して機能動作を実行する。処理ユニット１０３は、マイクロコントロールユニット（Ｍｉｃｒｏ  Ｃｏｎｔｒｏｌ  Ｕｎｉｔ：ＭＣＵ）により、処理ユニット１０３の様々な機能を実行する。ハウジング２０は、処理ユニット１０３、スピーカ１０４、制御モジュール１０２および電源供給モジュール１０１を収納するために用いる。
【００２５】
実際には、音声トリガ制御装置１０は、電源供給モジュール１０１から電力が供給され、対応した機能動作をデータ収集ホスト１１に実行させる。ユーザにより制御モジュール１０２からトリガコマンドが送信されると、まず、処理ユニット１０３が有する機能動作をコマンドに符号化し、高域音声トリガ信号を生成する。その後、高域音声トリガ信号に基づき、スピーカ１０４から高域音声を出力する。高域音声トリガ信号の周波数は、聞く人を不快にさせないように１５ＫＨｚ以上に設定する。続いて、データ収集ホスト１１上に配置した集音装置１１２が高域音声を受信すると高域音声トリガ信号を出力し、データ収集ホスト１１により高域音声トリガ信号のコマンドを復号化し、機能動作を復号する。最後に、データ収集ホスト１１により、対応した機能動作を実行する。この機能動作は、走査動作または画像アクセス動作である。
【００２６】
本実施形態の高域音声トリガ信号の周波数は、１５０００Ｈｚ〜２００００Ｈｚの間であり、１５０００Ｈｚ〜２００００Ｈｚの間で５００Ｈｚ毎の音声周波数を用いてもよい。
【００２７】
ここで音声トリガ制御装置１０のハウジング２０は、図２に示す態様だけに限定されるわけではなく、握持可能な構造である限り他の態様にしてもよい。
【００２８】
電源供給モジュール１０１は、携帯するのに便利な充電式電池モジュールでもよいし、商用電源に接続して電源を供給するＡＣアダプタでもよい。さらに、充電式電池モジュールは、商用電源を利用して充電したりしてもよい。
【００２９】
図２を参照する。図２は、本発明の一実施形態によるデータ収集ホストに音声トリガ制御装置を接続するときの状態を示す模式図である。図２に示すように、音声トリガ制御装置１０は、処理ユニット２０３、スピーカ２０４、制御モジュール２０２、電源供給モジュール２０１およびハウジング２０を含む。ハウジング２０は、握持構造を有し、接続部２２またはその他の接続方式により、データ収集ホスト２１の結合部２１４へ対応するように接続させてもよい。この接続部２２は爪部でもよい。ハウジング２０には、制御モジュール２０２、電源供給モジュール２０１、処理ユニット２０３およびスピーカ２０４が収納されている。本実施形態において、制御モジュール２０２はキースイッチを含んでもよく、電源供給モジュール２０１は充電式電池モジュールでもよく、処理ユニット２０３はマイクロコントロールユニットでもよい。データ収集ホスト２１は、充電式電池モジュール２１１と、集音装置２１２と、走査機能を実行する走査モジュール２１３と、を有する。ハウジング２０を有する音声トリガ制御装置１０と、データ収集ホスト２１との電源は、充電式電池モジュールから供給されてもよいし、上述したように商用電源から供給されてもよい。
【００３０】
実際には、前述のキースイッチをユーザが押圧することによりマイクロコントロールユニットを制御する。マイクコントロールユニットにより符号化ステップを相対的に制御し、符号化のステップを起動すると、走査動作を１５ＫＨｚ以上の高音域トリガ信号に符号化させる。スピーカ２０４は、高音域トリガ信号に基づいて高域音声を出力する。続いて、データ収集ホスト２１は、内蔵された集音装置２１２を用いて高域音声を受信し、高音域トリガ信号を出力する。さらに、データ収集ホスト２１は、高音域トリガ信号を復号化して走査動作を復号し、走査モジュール２１３へ走査動作を入力し、対応した走査動作を実行する。
【００３１】
例えば、「スキャン」と表示されたキースイッチをユーザが押すと、マイクロコントロールユニットが起動して走査動作の符号化ステップを実行し、走査動作を高音域トリガ信号に符号化し、この高音域トリガ信号に基づき、高域音声がスピーカ２０４から出力される。データ収集ホスト２１は、受信した高音域トリガ信号を走査動作に復号化し、走査動作を実行する。一方、「スキャン」と表示されたキースイッチをユーザが押さない場合、走査動作の復号化ステップを実行するマイクロコントロールユニットは起動されない。即ち、高音域トリガ信号の出力ステップが行われない。
【００３２】
データ収集ホスト２１の中には、前述の走査モジュール２１３を配置する代わりに、画像キャプチャモジュールまたは走査モジュールおよび画像キャプチャモジュールを配置することにより、画像キャプチャ動作を実行してもよい。当然、データ走査動作または画像キャプチャ動作だけに限定されるわけではなく、その他のデータ収集に関するモジュールおよび機能動作を行ってもよい。
【００３３】
図３を参照する。図３は、本発明の一実施形態による音声トリガ制御装置が高域音声トリガ信号により制御を行うときの状態を示す模式図である。図３に示すように、本実施形態は、マイクロコントロールユニット３０（Ｍｉｃｒｏ  Ｃｏｎｔｒｏｌ  Ｕｎｉｔ：ＭＣＵ）、スピーカ３１、集音装置３２および復号化ユニット３３を利用し、データ収集動作の無線トリガ制御方法を実行する。マイクロコントロールユニット３０は、前述の処理ユニット１０３，２０３に相当する。
【００３４】
まず、マイクロコントロールユニット３０は、画像キャプチャコマンドＸ、走査コマンドＹおよびその他の機能動作コマンドＺからなる群から選ばれる１種以上を含み、各コマンドは、アナログ形式またはデジタル形式の信号でもよい。続いて、マイクロコントロールユニット３０により、１５ＫＨｚ以上の高音域トリガ信号３０１へコマンドを符号化し、この高音域トリガ信号３０１に基づいて高域音声を出力する。その後、集音装置３２が高域音声３０２を受信すると、高音域トリガ信号３０１へ変換して復号化ユニット３３に入力する。この復号化ユニット３３は、前述のデータ機能収集ホストに位置する。最後に、復号化ユニット３３により高音域トリガ信号３０１を復号化し、対応した画像キャプチャコマンドＸ、走査コマンドＹまたはその他の機能動作コマンドＺを生成して後続の機能動作を実行し、高域音声３０２を介して無線トリガ制御を実行する。
【００３５】
図４を参照する。図４は、本発明の一実施形態による音声トリガ制御方法を示す流れ図である。本実施形態による音声トリガ制御方法は、データ収集ホストにより機能動作を実行する。図４に示すように、ステップＳ４０において、音声トリガ制御装置上の制御モジュールにより処理ユニットを制御し、機能動作に対応した高音域トリガ信号を処理ユニットから出力する。続いて、ステップＳ４１において、高音域トリガ信号に基づき、音声トリガ制御装置のスピーカから高域音声を出力する。最後に、ステップＳ４２において、データ収集ホストに設けた集音装置が高域音声を受信すると、データ収集ホストにより復号化を行い、機能動作を実行する。
【００３６】
高音域信号の周波数は、聞く人を不快にさせないように、１５０００Ｈｚ以上にする。高音域信号の周波数は、好ましくは１５０００Ｈｚ〜２００００Ｈｚである。
【００３７】
本発明の音声トリガ制御装置およびその方法は、音声トリガ制御装置により高域音声を送信する方式により、トリガ制御装置上に装着したデータ収集ホストをトリガし、データ収集ホストにより対応した機能動作を実行する。音声トリガ制御装置とデータ収集ホストとの間には開口または連動手段が設けられていないため、従来技術のようにトリガエラーが発生する虞がない。
【００３８】
当該分野の技術を熟知するものが理解できるように、本発明の好適な実施形態を前述の通り開示したが、これらは決して本発明を限定するものではない。本発明の主旨と領域を脱しない範囲内で各種の変更や修正を加えることができる。従って、本発明の特許請求の範囲は、このような変更や修正を含めて広く解釈されるべきである。
【符号の説明】
【００３９】
１０  音声トリガ制御装置
１１  データ収集ホスト
１２  高音域トリガ信号
２０  ハウジング
２１  データ収集ホスト
２２  接続部
３０  マイクロコントロールユニット
３１  スピーカ
３２  集音装置
３３  復号化ユニット
１０１  電源供給モジュール
１０２  制御モジュール
１０３  処理ユニット
１０４  スピーカ
１１２  集音装置
２０１  電源供給モジュール
２０２  制御モジュール
２０３  処理ユニット
２０４  スピーカ
２１１  充電式電池モジュール
２１２  集音装置
２１３  走査モジュール
２１４  結合部
３０１  高音域トリガ信号
３０２  高域音声
Ｘ  画像キャプチャコマンド
Ｙ  走査コマンド
Ｚ  その他の機能動作コマンド
【図１】
2011041240.tif 000003
【図２】
2011041240.tif 000004
【図３】
2011041240.tif 000005
【図４】
2011041240.tif 000006